(57)【特許請求の範囲】
【請求項１】
ＬＣＤモニターと液晶表示信号生産器間において、該ＬＣＤモニターのレシーバ端子がそれぞれ電源信号、および該液晶表示信号生産器が発生するデジタル影像信号とコントロール信号を受け取るものであり、
不適当な停電状況が発生した時に反応して不適当停電信号に発生する探知器、該電源信号を該ＬＣＤモニターのレシーバ端子へ伝送するルート上に設置して、電気を保存するのに用いて該電源信号が中断時に電気を該ＬＣＤモニターのレシーバ端子まで放出／供給する第１電気保存素子、
液晶表示信号生産器の電源供給ルートに設置して、それを用いて電気を保存して停電が発生した時に電気を該液晶表示信号生産器まで放出／供給する第２電気保存素子、
該コントロール信号を該ＬＣＤモニターのレシーバ端子へ伝送するルート上に設置し、保存電気を用いて該コントロール信号が中断時に電気をＬＣＤモニターのレシーバ端子まで放出／供給するのに備える第３電気保存素子、
探知器に電気的に接続して、それを用いて該不適当停電信号を受信して、第１時間の長さを遅延した後に出力する第１信号遅延素子、
探知器に電気的に接続して、それを用いて該不適当停電信号を受信して、第２時間の長さを遅延した後に出力する第２信号遅延素子、
探知器に電気的に接続して、それを用いて該不適当停電信号を受信して、第３時間の長さを遅延した後に出力する第３信号遅延素子、
該第１信号遅延素子、該第１電気保存素子および該ＬＣＤモニターのレシーバ端子間に電気的に接続して、該第１時間の長さを遅延した後の該不適当停電信号の触発により回路がオン状態からオフ状態に切換わり、それを用いて該第１電気保存素子がＬＣＤモニターのレシーバ端子まで電気を放出／供給する動作を中断する第１コントロールスイッチ、
該第２信号遅延素子、該第２電気保存素子および該液晶表示信号生産器間に電気的に接続して、該第２時間の長さを遅延した後の該不適当停電信号の触発により回路がオン状態からオフ状態に切換わり、それを用いて該第２電気保存素子がＬＣＤモニターのレシーバ端子まで電気を放出／供給する動作を中断する第２コントロールスイッチ、
該第３信号遅延素子、該第３電気保存素子および該ＬＣＤモニターのレシーバ端子間に電気的に接続して、該第３時間の長さを遅延した後の該不適当停電信号の触発により回路がオン状態からオフ状態に切換わり、それを用いて該第３電気保存素子がＬＣＤモニターのレシーバ端子まで電気を放出／供給する動作を中断する第３コントロールスイッチ、
から構成され、
そして、上記の時間の長さの大小の関係は、該第１時間の長さ＞該第３時間の長さ＞該第２時間の長さで、自動的に順番に該デジタル影像信号、該コントロール信号および該電源信号の作動を切り、不適当な停電から保護する機能を達成する
ことを含むことを特徴とするＬＣＤモニターを不適当な停電から保護する装置。
【請求項２】
前記探知器が前記ＬＣＤモニターの直流変換モジュールに提供される直流電圧値および前記ＬＣＤモニターのスイッチキイ状態を探知して、該直流電圧値が作動電圧より低いかスイッチキイ状態がオンからオフに変わった時、不適当な停電状況が発生したと認めて、不適当停電信号を発することを特徴とする請求項１記載のＬＣＤモニターを不適当な停電から保護する装置。
【請求項３】
前記直流電圧値が、ＡＣ／ＤＣ電源変換器（Adapter）から直流変換モジュール（DC/DC Module）へ出力する直流電圧値であることを特徴とする請求項２記載のＬＣＤモニターを不適当な停電から保護する装置。
【請求項４】
前記直流電圧値が、電池から直流変換モジュール（DC/DC Module）へ出力する直流電圧値であることを特徴とする請求項２記載のＬＣＤモニターを不適当な停電から保護する装置。
【請求項５】
前記第１電気保存素子が、前記電源信号を前記ＬＣＤモニターのレシーバ端子に伝送するルート上に並列接続したコンデンサであることを特徴とする請求項１記載のＬＣＤモニターを不適当な停電から保護する装置。
【請求項６】
前記第２電気保存素子が、前記液晶表示信号生産器の電源供給ルートと並列接続したコンデンサであることを特徴とする請求項１記載のＬＣＤモニターを不適当な停電から保護する装置。
【請求項７】
前記第３電気保存素子が、前記コントロール信号を前記ＬＣＤモニターのレシーバ端子へ伝送するルートに並列接続したコンデンサであることを特徴とする請求項１記載のＬＣＤモニターを不適当な停電から保護する装置。
【請求項８】
前記第１信号遅延素子、前記第２信号遅延素子、および前記第３信号遅延素子がそれぞれ、第１直列抵抗Ｒ１と第１並接コンデンサＣ１、第２直列抵抗Ｒ２と第２並接コンデンサＣ２、および第３直列抵抗Ｒ３と第３並接コンデンサＣ３によりＲＣ遅延回路が構成され、Ｒ１／Ｃ１＞Ｒ３／Ｃ３＞Ｒ２／Ｃ２であることを特徴とする請求項１記載のＬＣＤモニターを不適当な停電から保護する装置。
【請求項９】
前記第１コントロールスイッチ、前記第２コントロールスイッチ、前記第３コントロールスイッチがそれぞれ電圧コントロールスイッチで、前記探知器が発する前記不適当停電信号が高電圧から低電圧に変わる電圧変換信号で、上記３つのＲＣ遅延回路により遅延後に該第１コントロールスイッチ、該第２コントロールスイッチ、および該第３コントロールスイッチへ送り、それぞれ順番に電圧コントロールスイッチをオン状態からオフ状態にすることを特徴とする請求項８記載のＬＣＤモニターを不適当な停電から保護する装置。
【発明の詳細な説明】
【０００１】
【発明の属する技術分野】
この発明は不意の停電や使用者による不適当な電源からの切断など（以下、不適当な停電という。）から機器類を保護する装置に関し、特にＬＣＤモニターに適用してＬＣＤモニターを不適当な停電から保護する装置に関する。
【０００２】
【従来の技術】
電子機器の設計研究開発は全て、より軽くより小さくすることがその発展目標であり、コンピューターモニター（Monitor）もその例外ではなかった。従来のＣＲＴ（Cathode-Ray Tube）式のモニターは体積が大きく、消費電力が大きかったため理想的ではなかった。そのため、体積が小さく省電力のＬＣＤモニター（LCD Monitor）が次世代のディスプレイとして徐々に注目されてきた。
【０００３】
図１に示すのは、従来の技術のＬＣＤモニター０１（LCD Monitor）の信号レシーバ端子のブロック図である。信号は主に（１）電源信号（２）デジタル影像信号（３）コントロール信号の３種類に分けられる。そのうちの電源信号をＬＣＤモニター（LCD Monitor）の作動に必要な電力として、デジタル影像信号とコントロール信号はそれぞれモニターが表示する画面の影像信号および表示のモードを表す。しかし、ＬＣＤモニターのメーカーが規定する正しいスイッチの切り方によると、コンピューター端子は順番通りにデジタル影像信号とコントロール信号の出力を切った後に電源信号を切ることができる。ただし、従来の技術のＬＣＤモニター（LCD Monitor）の構造では、電源が突然停電したり使用者が不適当に電源を切った時、（１）電源信号（２）デジタル影像信号（３）コントロール信号などの３個の信号が同時に切られて、ＬＣＤモニター（LCD Monitor）メーカー規格のニーズを満たすことができなかったため、（ａ）ショック電流の発生。（ｂ）画素による白い画面の発生。（ｃ）ＬＣＤ内部液晶の変換異常、ＬＣＤモニター（LCD Monitor）の使用寿命の短期化などの問題が起きる可能性があった。どのように、これら従来の技術の欠点を解決して、実際の技術手段を提供して達成するかが本発明の主要な目的である。
【０００４】
【発明が解決しようとする課題】
従来の技術の欠点である、電源が突然停電したり使用者が不適当に電源を切ったために起きる、ショック電流の発生や画素による白い画面の発生、またＬＣＤ内部液晶の変換異常によるＬＣＤモニター（LCD Monitor）の使用寿命の短期化を解決する、ＬＣＤモニターに応用する不適当な停電から保護する装置を提供することである。
【０００５】
【課題を解決するための手段】
本発明は、不適当な停電状況が発生した時に反応して不適当停電信号を発生する探知器を含む。そして電源信号がＬＣＤモニターのレシーバ端子へ伝送されるルート上に設置して、一定容量の電気を保存して電源信号が中断時に電気をＬＣＤモニターのレシーバ端子まで放出／供給する第１電気保存素子と、液晶表示信号生産器の電源供給ルートに設置して、一定容量の電気を保存して停電が発生した時に電気を該液晶表示信号生産器まで放出／供給する第２電気保存素子と、コントロール信号からＬＣＤモニターのレシーバ端子へ伝送するルート上に設置し、一定容量の保存電気をコントロール信号が中断時に電気をＬＣＤモニターのレシーバ端子まで放出／供給するのに備える第３電気保存素子を含む。そして、探知器に電気的に接続して不適当停電信号を受信して、一定の時間遅延した後に出力する第１信号遅延素子、第２信号遅延素子および第３信号遅延素子を含む。
【０００６】
第１コントロールスイッチが第１信号遅延素子、第１電気保存素子およびＬＣＤモニターのレシーバ端子間にそれぞれ電気的に接続して、第１時間の長さを遅延した後の不適当停電信号の触発により回路がオン状態からオフ状態に切換わり、第１電気保存素子がＬＣＤモニターのレシーバ端子まで電気を放出／供給する動作を中断する。
第２コントロールスイッチが第２信号遅延素子、第２電気保存素子および液晶表示信号生産器間に電気的に接続して、第２時間の長さを遅延した後の不適当停電信号の触発により回路がオン状態からオフ状態に切換わり、それを用いて第２電気保存素子がＬＣＤモニターのレシーバ端子まで電気を放出／供給する動作を中断する。
第３コントロールスイッチが第３信号遅延素子、第３電気保存素子およびＬＣＤモニターのレシーバ端子間に電気的に接続して、第３時間の長さを遅延した後の不適当停電信号の触発により回路がオン状態からオフ状態に切換わり、それを用いて第３電気保存素子がＬＣＤモニターのレシーバ端子まで電気を放出／供給する動作を中断する。
【０００７】
【実施例】
以下、この発明にかかる好適な実施例を図面に基づいて説明する。
図２に示すのは、この発明に関する好適な実施例のブロック図で、交流電気を電気供給に使用する時、探知器１１１はＡＣ／ＤＣ電源変換器１０（Adapter）から直流変換モジュール１１（DC/DC Module）へ出力する直流電圧値を探知して、電池１２を使用して電気供給する時、電池１２から直流変換モジュール１１（DC/DC Module）まで出力する直流電圧値を探知する。また、その探知器１１１が同時にＬＣＤモニターのスイッチキイ１３の状態を探知する。一般正常使用状態の時、探知器１１１は一定値の高電圧信号を出力する。この時、第１信号遅延素子１４、第２信号遅延素子１５、および第３信号遅延素子１６で構成されたＲＣ遅延回路の、第１並接コンデンサＣ１、第２並接コンデンサＣ２、および第３並接コンデンサＣ３は全て充電を完了して高電圧を維持する。そのため、電圧コントロールスイッチにより第１信号遅延素子１４、第２信号遅延素子１５および第３信号遅延素子１６の第１コントロールスイッチ１７、第２コントロールスイッチ１８および、その第３コントロールスイッチ１９はそれぞれコントロールされて、全てオン状態を維持し、それぞれコンデンサにより構成された第１電気保存素子２０、第２電気保存素子２１、および第３電気保存素子２２もまた電気を保存して不適当な停電時の供給に備える。
【０００８】
交流電気が突然停電するか電池が電力不足の時、或いは使用者が不適当にスイッチを切る状況が発生して、探知器１１１が探知したその直流電圧値が作動電圧より低いか、スイッチキイ状態がオンからオフに変わった場合、探知器１１１はそれを不適当な停電状態が発生したと認める。出力信号電圧の高電圧から低電圧への変化は不適当な停電信号を表して、同時に第１並接コンデンサＣ１、第２並接コンデンサＣ２、および第３並接コンデンサＣ３は同時にそれぞれＲ１、Ｒ２、Ｒ３を経由して放電動作を進める。但しコンデンサにより構成した第１電気保存素子２０、第２電気保存素子２１、第３電気保存素子２２は短い間ＬＣＤモニター（LCD Monitor）の信号レシーバ端子２３および液晶表示信号生産器２４に対して電気供給を行い、電源信号、デジタル影像信号、コントロール信号などの３個の信号が同時に中断されてＬＣＤモニター（LCD Monitor）に対して発生するショックを防止する。これと同時に、第１信号遅延素子１４、第２信号遅延素子１５および第３信号遅延素子１６の第１並接コンデンサＣ１、第２並接コンデンサＣ２、および第３並接コンデンサは放電動作を開始して、各コンデンサの電圧値が低電位まで低下した時、その第１コントロールスイッチ１７、第２コントロールスイッチ１８およびその第３コントロールスイッチ１９はオン状態からオフ状態へ変化する。そのため各コンデンサ、抵抗値をＲ１／Ｃ１＞Ｒ３／Ｃ３＞Ｒ２／Ｃ２の順番に調整するだけで、各コンデンサの放電速度をコントロールすることができ、デジタル影像信号とコントロール信号と電源信号を順番に切り、ＬＣＤモニターのメーカー規格のニーズを満たし、従来の技術の欠点を克服することができる。
また本案の装置はあらゆるＬＣＤモニター（LCD Monitor）を使用するシステム中に適用することができて、そのシステム配置に合わせて適当な変更が行われる。
【０００９】
以上のごとく、この発明を好適な実施例により開示したが、もとより、この発明を限定するためのものではなく、同業者であれば容易に理解できるように、この発明の技術思想の範囲において、適当な変更ならびに修正が当然なされうるものであるから、その特許権保護の範囲は、特許請求の範囲および、それと均等な領域を基準として定めなければならない。
【００１０】
【発明の効果】
本発明は、上記構成により、従来の技術の欠点である、ショック電流の発生や画素による白い画面の発生、またＬＣＤ内部液晶の変換異常によるＬＣＤモニター（LCD Monitor）の使用寿命の短期化を防止し、ＬＣＤモニターに応用することにより不適当な停電から保護する装置を提供することができる。
従って、産業上の利用価値が高い。
【図面の簡単な説明】
【図１】従来の技術に関するＬＣＤモニターの信号レシーバ端子のブロック図である。
【図２】この発明に関する好適な実施例の回路機能のブロック図である。
【符号の説明】
０１    ＬＣＤモニター
１０    ＡＣ／ＤＣ電源変換器
１１１  探知器
１１    直流変換モジュール
１２    電池
１３    スイッチキイ
１４    第１信号遅延素子
１５    第２信号遅延素子
１６    第３信号遅延素子
１７    第１コントロールスイッチ
１８    第２コントロールスイッチ
１９    第３コントロールスイッチ
２０    第１電気保存素子
２１    第２電気保存素子
２２    第３電気保存素子
２３    信号レシーバ端子
２４    液晶表示信号生産器
【図１】
0003701178.tif 000002
【図２】
0003701178.tif 000003